(57)【要約】      （修正有）【課題】テントを容易に展開する及び折り畳むことができる折り畳みテントを提供する。【解決手段】トップ部材１０に接続される案内部材３０の外周壁に沿って上下方向に摺動可能に外挿されて筒状部材３２が設けられ、一端が筒状部材３２に上下方向に回転可能に接続され、他端が各第１アーム部材２１の中間部分に上下方向に回転可能に接続される連結部材４０を備え、案内部材４０の下端部に、筒状部材３０の下降を止めるストッパ部３６が設けられ、中間位置と下端位置との間の摺動は、筒状部材３２及び／又は連結部材４０を作業者が持って操作することで、筒状部材３２が摺動できるようになっている。【選択図】図３
0003205300.tif 000002
【実用新案登録請求の範囲】
【請求項１】
中央にトップ部材を備え、
一端が該トップ部材の周囲に上下方向に回動可能に接続され、他端が該トップ部材から放射状に飛び出た複数のアーム部材を備え、
該アーム部材の内側にインナーテントが設けられている折り畳みテントにおいて、
該各アーム部材は、一端が該トップ部材の周囲に上下方向に回転可能に接続された第１アーム部材と、一端が該第１アーム部材の他端に上下方向に回転可能に接続され、他端が地面に配置される第２アーム部材とを備え、
該トップ部材の下側に接続されて、垂下する案内部材が設けられ、
該案内部材の外周壁に沿って上下方向に摺動可能に外挿されて筒状部材が設けられ、
一端が該筒状部材に上下方向に回転可能に接続され、他端が各第１アーム部材の中間部分に上下方向に回転可能に接続される連結部材を備え、
該案内部材の下端部に、該筒状部材の下降を止めるストッパ部が設けられ、
該折り畳みテントを展開する場合に、該筒状部材が下方に摺動して該ストッパ部に位置する下端位置となり、該下端位置では、該案内部材と該連結部材とが成す角度が９０°未満の角度になるように構成され、
該折り畳みテントを折り畳む場合に、該筒状部材が上方に摺動して上端位置となり、該上端位置では、該第１アーム部材、連結部材及び該案内部材が平行になって、該案内部材と該連結部材とが成す角度が９０°を超えるように構成され、
該下端位置と該上端位置の途中であって、該案内部材と該連結部材とが成す角度が９０°を超える中間位置と該下端位置との間の摺動は、該筒状部材及び／又は該連結部材を作業者が持って操作することで、該筒状部材が摺動できるようになっていることを特徴とする折り畳みテント。
【請求項２】
請求項１において、
該案内部材は、中空の円筒部材からなり、
該円筒部材の内部に、該筒状部材を下方に強いるバネ部材が収納され、
該筒状部材が該上端位置から下降する場合に下方の摺動をバネ部材が補助するようになっていることを特徴とする折り畳みテント。
【請求項３】
請求項２において、
該バネ部材は、該円筒部材の内部に、上下方向に移動可能に収納されて配置され、該筒状部材が該上端位置と該中間位置にある場合に、該バネ部材が圧縮されており、該筒状部材が該中間位置から下端位置にある場合には、該バネ部材が自由長さとなるようになっていることを特徴とする折り畳みテント。
【請求項４】
請求項２において、
該バネ部材は、該円筒部材の内部に圧縮されて収納されており、該筒状部材を該上端位置から下方に摺動する方向に強いて、且つ該筒状部材が該下端位置から上方に摺動することを抑制するようになっていることを特徴とする折り畳みテント。
【請求項５】
請求項１ないし４のいずれか１つにおいて、
該トップ部材は中央が上方に出て、内部空間が形成された碗形状で設けられ、
該筒状部材が上端位置まで摺動した場合に、該筒状部材の上端部分の一部が該内部空間内に収納されるようになっていることを特徴とする折り畳みテント。
【請求項６】
請求項１ないし５のいずれか１つにおいて、
第２アーム部材は、第１中間脚と第１下端脚とを備え、
該第１アーム部材と該第１中間脚とは、互いの接続部で、外向きの折り畳みが可能であり、内向きの折り畳みが規制されるように接続されており、
該第１中間脚と第１下端脚とは、互いの接続部で、外向きの折り畳みが可能であり、内向きの折り畳みが規制されるように接続されていることを特徴とする折り畳みテント。
【請求項７】
請求項１ないし５のいずれか１つにおいて、
第２アーム部材は、第２中間脚と第２下端脚とを備え、
第１アーム部材と第２中間脚とは、互いの接続部で、外向きの折り畳みが可能であり、内向きの折り畳みが規制されるように接続されており、
該第２中間脚と該第２下端脚とは、該第２下端脚内に該第２中間脚がスライドして収納可能になっていることを特徴とする折り畳みテント。
【考案の詳細な説明】
【技術分野】
【０００１】
本考案は、折り畳みテントに関し、特にテントを容易に折り畳み及び展開し得るようにした折り畳みテントに関するものである。
【背景技術】
【０００２】
従来の折り畳みテントの例として、テントを展開するときは一方の手で中心管を把持したままで他方の手でロープを引っ張ってキャップを上向き移動させて、ハブ内にまで引き上げるようにして展開する構成とし、折り畳みテントを折り畳みするときはハブ内のキャップを外すように操作して、キャップがほぼ逆向きになるまで押し下げることで折り畳む構成となったものが知られている（特許文献１参照）。
【０００３】
また、傘のような構造のテントの例として、上部ランナーの外周は複数の上部主要骨と傘部分の副骨が伸びていて、上部ランナー下方には下部ランナーがあり、その下部ランナー外周には複数のストレッチャーが伸びている。各ストレッチャーの末端はそれぞれ上部主要骨、傘部分の副骨と連結している。下部ランナーの中央にはジョイントが設置されていて、そのジョイントにはジョイントスプリングがある。また、ジョイントからはロープが伸びている。この件では、テントを展開するときは、一方の手で上部ランナーの部分を握り、もう一方の手で、ロープを上に引っ張る。ジョイントは上部ランナー内部を通って外に出る。上部ランナーが上部ランナー固定ブロックに当たると、スプリング本体のスプリング部分が上部ランナーの外側の縁に止まって、固定されるものが知られている（特許文献２参照）。
【先行技術文献】
【特許文献】
【０００４】
【特許文献１】登録実用新案３０４４４５５号公報
【特許文献２】登録実用新案３０８４６１４号公報
【考案の概要】
【考案が解決しようとする課題】
【０００５】
特許文献１のテントでは、テントを展開するときは、一方の手で中心管を把持したままで他方の手でロープを引っ張ってキャップをハブ内にまで引き上げるようにし、テントを折り畳む場合には、キャップを下に押し込んで、ハブ内から抜いて折り畳む構成となっている。
【０００６】
特許文献２のテントでは、テントを展開するときは、一方の手で上部ランナーの部分を握り、もう一方の手で、ロープを上に引っ張って、上部ランナーに下部ランナーを通すようにし、テントを折り畳む場合には、下部ランナーを下に押し込んで、上部ランナから下部ランナーを下方に抜いて折り畳む構成となっている。
【０００７】
しかしながら、特許文献１や特許文献２のような構成では、片手でロープを引っ張るために、かなりの力を必要とする。その上、上方に引っ張るために、作業者が腕をかなり上まで上げることが必要であり、作業性が悪い。また、折り畳むときは、作業者が腕を最大限に伸ばした状態で、キャップ（下部ランナー）を押し下げるので、この姿勢では作業者が十分な力を出すことができなく、改善を強く求められている。
【０００８】
本考案は、前述した従来の問題点を解決するためになされたもので、本考案の主目的はテントを容易に展開する及び折り畳むことができる折り畳みテントを提供することである。
【課題を解決するための手段】
【０００９】
上記の目的を達成するために、本考案では、骨組みのアーム部材を開閉することで、ワンタッチでテントを展開及び折り畳みできるようにしたものである。
【００１０】
具体的には、第１の考案は、中央にトップ部材を備え、一端が該トップ部材の周囲に上下方向に回動可能に接続され、他端が該トップ部材から放射状に飛び出た複数のアーム部材を備え、該アーム部材の内側にインナーテントが設けられている折り畳みテントにおいて、該各アーム部材は、一端が該トップ部材の周囲に上下方向に回転可能に接続された第１アーム部材と、一端が該第１アーム部材の他端に上下方向に回転可能に接続され、他端が地面に配置される第２アーム部材とを備え、該トップ部材の下側に接続されて、垂下する案内部材が設けられ、該案内部材の外周壁に沿って上下方向に摺動可能に外挿されて筒状部材が設けられ、一端が該筒状部材に上下方向に回転可能に接続され、他端が各第１アーム部材の中間部分に上下方向に回転可能に接続される連結部材を備え、該案内部材の下端部に、該筒状部材の下降を止めるストッパ部が設けられ、該折り畳みテントを展開する場合に、該筒状部材が下方に摺動して該ストッパ部に位置する下端位置となり、該下端位置では、該案内部材と該連結部材とが成す角度が９０°未満の角度になるように構成され、該折り畳みテントを折り畳む場合に、該筒状部材が上方に摺動して上端位置となり、該上端位置では、該第１アーム部材、連結部材及び該案内部材が平行になって、該案内部材と該連結部材とが成す角度が９０°を超えるように構成され、該下端位置と該上端位置の途中であって、該案内部材と該連結部材とが成す角度が９０°を超える中間位置と該下端位置との間の摺動は、該筒状部材及び／又は該連結部材を作業者が持って操作することで、該筒状部材が摺動できるようになっていることを特徴とする。
【００１１】
第２の考案は、第１の考案において、該案内部材は、中空の円筒部材からなり、該円筒部材の内部に、該筒状部材を下方に強いるバネ部材が収納され、該筒状部材が該上端位置から下降する場合に下方の摺動をバネ部材が補助するようになっていることを特徴とする。
【００１２】
第３の考案は、第２の考案において、該バネ部材は、該円筒部材の内部に、上下方向に移動可能に収納されて配置され、該筒状部材が該上端位置と該中間位置にある場合に、該バネ部材が圧縮されており、該筒状部材が該中間位置から下端位置にある場合には、該バネ部材が自由長さとなるようになっていることを特徴とする。
【００１３】
第４の考案は、第２の考案において、該バネ部材は、該円筒部材の内部に圧縮されて収納されており、該筒状部材を該上端位置から下方に摺動する方向に強いられ、且つ該筒状部材が該下端位置から上方に摺動することを抑制するようになっていることを特徴とする。
【００１４】
第５の考案は、第１ないし第４の考案のいずれか１つにおいて、該トップ部材は中央が上方に出て、内部空間が形成された碗形状で設けられ、該筒状部材が上端位置まで摺動した場合に、該筒状部材の上端部分の一部が該内部空間内に収納されるようになっていることを特徴とする
第６の考案は、第１ないし第５の考案のいずれか１つにおいて、第２アーム部材は、第１中間脚と第１下端脚とを備え、該第１アーム部材と該第１中間脚とは、互いの接続部で、外向きの折り畳みが可能であり、内向きの折り畳みが規制されるように接続されており、該第１中間脚と第１下端脚とは、互いの接続部で、外向きの折り畳みが可能であり、内向きの折り畳みが規制されるように接続されていることを特徴とする。
【００１５】
第７の考案は、第１ないし第５の考案のいずれか１つにおいて、第２アーム部材は、第２中間脚と第２下端脚とを備え、第１アーム部材と第２中間脚とは、互いの接続部で、外向きの折り畳みが可能であり、内向きの折り畳みが規制されるように接続されており、該第２中間脚と該第２下端脚とは、該第２下端脚内に該第２中間脚がスライドして収納可能になっていることを特徴とする。
【考案の効果】
【００１６】
第１の考案によれば、中間位置から下端位置に作業者が操作することで、案内部材と連結部材とが成す角度が９０°未満になるので、不用意に筒状部材が下端位置から上方に摺動することを防止できる。それと共に、折り畳みテントを展開した状態でインナーテントを折り畳む方向に力が作用した場合、連結部材と案内部材の接続部分には、インナーテントの中央側方向及び下側に力が作用するので、下端位置に筒状部材が固定されることとなり、筒状部材を下端位置に止めた状態で安定して維持することができ、アーム部材を展開した状態に維持できる。
【００１７】
第２の考案によれば、筒状部材が上端位置から下降する場合に、バネ部材によって下方の摺動を補助するようになっているので、軽い力で、折り畳み状態から展開する方向にできる。
【００１８】
第３の考案によれば、バネ部材は、円筒部材の内部に、上下方向に移動可能に収納されて配置され、該筒状部材が該上端位置と該中間位置にある場合に、該バネ部材が圧縮されており、該筒状部材が該中間位置から下端位置にある場合には、該バネ部材が自由長さとなるので、下端位置から操作して筒状部材を上方に摺動させる際に、バネ部材が抵抗にならず軽い力で、持ち上げられるので、作業性に優れる。
【００１９】
第４の考案によれば、バネ部材が、筒状部材を上端位置から下方に摺動する方向に強いられているので、テントを展開するためにアーム部材を拡げた際に、連結部材を下げるように補助でき、展開が楽に行える。又、筒状部材が下端位置から上方に摺動することを抑制するようになっているので、不意に筒状部材が下端位置から外れて上昇することを抑制できる。
【００２０】
第５の考案によれば、筒状部材の上端部分の一部が内部空間内に収納されるようになっているので、連結部材を長くすることができ、インナーテント内の居住空間を広く確保できる。
【００２１】
第６の考案によれば、第１アーム部材と第１中間脚、第１中間脚と第１下端脚とを平面上に拡げておくだけでよく、後は、トップ部を持ち上げると、第１アーム部材、第１中間脚、第１下端脚とが自然にドーム状に展開できる。また、第１下端脚を折り畳み、第１中間脚と一緒に折り畳むことで、第１アーム部材とほぼ平行に折り畳めることができるので、簡単に折り畳みでき、コンパクトに収納できるので、持ち運びに便利である。
【００２２】
第７の考案によれば、第２アーム部材を倒した状態で、第１アーム部材を持ち上げると、骨組みを大まかに展開でき、後は、第２中間脚を第２下端脚内から上方に抜き出して、ロックすればできあがるので、操作性に優れて、背が高く、大きなテントを簡単に展開できる。また、逆に、折り畳む場合には、第２中間脚を第２下端脚内に納めることで、トップ部材の高さを下げることができ、後は、第１アーム部材を案内部材に近づけるように折り畳み、第２アーム部材を折り畳むことでよいので、作業性に優れる。
【図面の簡単な説明】
【００２３】
【図１】図１は、本考案の実施形態１の全体概略構成を示す斜視図である。
【図２】図２は、図１でフライシートを外した状態を示す斜視図である。
【図３】図３は、実施形態１の骨組みを説明するための断面図である。図３の右側（図３右）が骨組みを展開した状態、図３の左側（図３左）が骨組みを折り畳んだ状態を示す。
【図４】図４は、折り畳みテントの展開状態を説明する斜視図であって、袋体から取り出して、骨組みの一部を拡げる途中の状態の折り畳みテントを示す斜視図である。
【図５】図５は、図４から、骨組みの一部を更に拡げる途中の状態の折り畳みテントを示す斜視図である。
【図６】図６は、図５の状態から、骨組みの一部をもっと更に拡げる途中の状態の一部を展開する状態の折り畳みテントを示す斜視図である。
【図７】図７は、図６の状態から、折り畳みテントを展開するように操作する状態の折り畳みテントを示す斜視図である。
【図８】図８は、図７の状態から、折り畳みテントを展開するようにさらに操作した後の折り畳みテントを示す斜視図である。
【図９】図９は、図５の状態での頂部の状態を説明する断面図である。
【図１０】図１０は、図８の状態で、連結部材を操作する前の頂部の状態を説明する断面図である。
【図１１】図１１は、図８の状態で、連結部材を操作した後の頂部の状態を説明する断面図である。
【図１２】図１２は、図９の縦断面図である。
【図１３】図１３は、図１０の縦断面図である。
【図１４】図１４は、図１１の縦断面図である。
【図１５】図１５は、第１アーム部材と第２アーム部材の接続部分を説明する図である。
【図１６】図１６は、実施形態２に係わり、フライシートを外した状態の全体概略を示す斜視図である。
【図１７】図１７は、図１６の状態で、筒状部材が下端位置にあるときの頂部の概略を示す断面図である。
【図１８】図１８は、第２アーム部材の第２中間脚と第２下端脚の接続部分を説明するための外観概略図である。
【考案を実施するための形態】
【００２４】
以下、本考案の実施形態を図面に基づいて詳細に説明する。以下の好ましい実施形態の説明は、本質的に例示に過ぎず、本考案、その適用物或いはその用途を制限することを意図するものではない。
【００２５】
（実施形態１）
以下、本考案の実施形態１を図面に基づいて詳細に説明する。図１〜図１４は、本考案の折り畳みテントの実施形態１を示し、図１は、実施形態１の全体概略を示す斜視図、図２は、図１でフライシートを外した状態を示す斜視図である。
【００２６】
図１及び図２において、折り畳みテント１は、展開した際にドーム状となる布製のインナーテント２と、インナーテント２を吊り下げる骨組み３と、骨組み３の上側に被される防水布製の矩形状のフライシート４を有する。インナーテント２は、展開した後に、四隅をペグ５で地面に固定される。そして、中央に金属製シャフト６を通したフライシート４を骨組み３の上に被せて、フライシート４の四隅を地面にペグ（図示省略）で固定する。なお、フライシート４の四隅をインナーテント２の四隅のペグ５に固定してもよい。
【００２７】
なお、本考案では、テントを設置したときの上空側を上側、地面側を下側、インナーテントの内部側を内側、テント外部側を外側と称す。以下の説明では、特に断らない限り、上記記載にしたがって説明する。
【００２８】
次に骨組み３の詳細構造を説明する。
【００２９】
図２に示すように、骨組み３は、中央に碗形状を裏返した形状の合成樹脂製のトップ部材１０と、トップ部材１０の周囲から放射状に飛び出た４本の金属パイプからなるアーム部材２０と、トップ部材１０の下面に一体に接続されて垂下する合成樹脂製の案内部材３０と、アーム部材２０と案内部材３０とを接続する金属パイプからなる連結部材４０とを備える。
【００３０】
図２に示すように、各アーム部材２０は、第１アーム部材２１と第２アーム部材２２とを備える。第１アーム部材２１の一端２１ａがトップ部材１０の周囲に上下方向に回動可能にピン（図示省略）で軸支され、他端２１ｂが第２アーム部材２２の一端２２ａに上下方向に回動可能にピンで軸支されている。第２アーム部材２２の他端２２ｂが地面に配置される。第２アーム部材２２は、第１中間脚２３と第１下端脚２４を備える。具体的には、第１中間脚２３の一端２３ａが、第１アーム部材２１の他端２１ｂに上下方向に回動可能にピンで軸支され、他端２３ｂが第１下端脚２４の一端２４ａに上下方向に回動可能にピンで軸支されている。第１下端脚２４の他端２４ｂがペグ５で地面に取りつけられている。
【００３１】
インナーテント２の中央頂上が、詳細は後で説明するが、紐７で案内部材３０の下端に結びつけられて、吊されるようになっている。また、インナーテント２の外面に縫い付けた布製の中空筒８ａに第１アーム部材２１と、布製の中空筒８ｂに第２アーム部材２２の第１中間脚２３、布製の中空筒８ｃに第２アーム部材２２の第１下端脚２４をそれぞれ通しておき、骨組み３を展開する又は折り畳むときに、インナーテント２が骨組み３と一緒に、展開できたり、張れるようになっている。又、こうして、展開時にインナーテント２を骨組み３の内側に吊すことができるようになっている。
【００３２】
連結部材４０は、一端４０ａが筒状部材３２に上下方向に回転可能に軸支され、他端４０ｂが第１アーム部材２１の中間部分に上下方向に回転可能に軸支されている。
【００３３】
折り畳みテント１の骨組み３を展開した状態と折り畳んだ状態を図３を参照して、説明する。
【００３４】
図３右側に示すように、折り畳みテント１の骨組み３を展開した場合には、筒状部材３２が下方に摺動してストッパ部３６に当接する下端位置Ｂとなり、この下端位置Ｂでは、案内部材３０と連結部材４０とが成す角度αが９０°未満の角度になっている。実際には、９０°よりも僅かに小さい角度になっている。即ち、連結部材４０の他端４０ｂが、相対的に連結部材４０の一端４０ａよりも僅かに高くなっている。この状態から、仮に連結部材４０が上方に摺動して、連結部材４０の一端４０ａが、相対的に連結部材４０の他端４０ｂよりも高い位置になるためには、案内部材３０と連結部材４０とが成す角度αが９０°未満の角度位置から、９０°の角度位置を跨いで、９０°を超えた角度位置になる必要があり、通常では、第１アーム部材２１及び第２アーム部材２２を折り畳む方向に力が作用しても、筒状部材３２が下端位置Ｂ（ストッパ部３６に当接する位置）から上方に摺動し難い角度に設定されている。したがって、下端位置Ｂと上端位置Ａの途中であって、案内部材と連結部材４０とが成す角度αが９０°を超える中間位置Ｃと下端位置Ｂとの間の摺動は、筒状部材３２及び又は連結部材４０を作業者が手に持って操作することで、筒状部材３２を摺動できるようになっている。
【００３５】
トップ部材１０は中央が上方に出て、内部空間が形成された碗形状を裏返した形状となっており、この碗形状の内側中央に案内部材３０が固定されており、筒状部材３２が上端位置になるときには、筒状部材３２の上端の一部が上記内部空間に入ることができるようになっている。この構成とすることで、連結部材４０を長くできる。即ち、第１アーム部材２１の一端２１ａから連結部材４０と接続する接続位置までの長さと比較して、連結部材４０の長さをほぼ同じ長さにしてもよくなる。その結果、インナーテント２を展開した際のインナーテント２内の居住空間を広く確保できる。又、上記のように、接続位置までの長さと連結部材４０の長さをほぼ同じとすると、筒状部材３２が下端位置にあるときから、筒状部材３２が上方に摺動し難い長さになるので、好都合である。
【００３６】
図３左側に示すように、折り畳みテント１を折り畳んだ場合には、筒状部材３２が上方に摺動して上端位置Ａとなり、この上端位置Ａでは、案内部材３０と連結部材４０とが成す角度が９０°を超えるように構成されている。実際には、第１アーム部材２１、第２アーム部材２２の第１中間脚２３及び第１下端脚２４と第１中間脚２３とが折り畳まれて、ほぼ平行になっている。この上端位置Ａでは、案内部材３０と連結部材４０とがほぼ平行に近い角度になっている。
【００３７】
第１アーム部材２１の他端２１ｂと第１中間脚２３の一端との接続や、第１中間脚２３の他端と第１下端脚２４の一端との接続を、図１４に基づいて説明する。第１アーム部材２１の他端２１ｂが半円状の受け部２５ａを有し、受け部２５ａにピン２６ａが取り付けてあり、この受け部２５ａに第１中間脚２３の一端が挿入されて、第１中間脚２３の一端に設けた貫通孔２７ａにピンが挿通されている。この構成とすることによって、第１アーム部材２１に対して、第１中間脚２３が外向きに上下方向に回転でき、内向きには回転できないようになっている。また、第１中間脚２３と第１下端脚２４との接続も、上記接続と同じような構成であるが、異なる点は、第１下端脚２４の貫通孔は長孔２７ｂとなっていることである。この長孔２７ｂとすることで、長孔２７ｂの下端にピン２６ａがあるとき（第１中間脚２３の受け部に第１下端脚２４が差し込まれた状態）には、第１下端脚２４は外向きにも回転できず、展開した状態を安定して維持できる。一方、折り畳む場合には、図５の状態で、第１下端脚２４を第１中間脚２３から離れる方向に引いて、長孔２７ｂの上端にピン２６ａが位置するようにする。それによって、第１下端脚２４と第１中間脚２３とが相対的に外向きに回転できる状態になる。
【００３８】
図８〜図１３を参照して、トップ部材１０案内部材３０、筒状部材３２の詳細構造を説明する。
【００３９】
案内部材３０は、合成樹脂製の中空円筒部材からなり、その上端が碗を裏返した形状のトップ部材１０の内面側の中央にボルト等で固定されている。案内部材３０の外周壁３１に、上下方向に摺動可能に、合成樹脂製の筒状部材３２が外挿されている。案内部材３０には、上下方向に長孔３３が対向して２カ所設けられている。接続シャフト３４が、案内部材３０の軸と直角な方向に伸びて、２つの長孔３３を貫通して筒状部材３２の内面に嵌め込む等で固定されて設けられている。
【００４０】
筒状部材３２は、図９及び図１２に示すように、案内部材３０の上端部に近い上端位置Ａと、図１１及び図１４に示すように、案内部材３０の下端部に近い下端位置Ｂとの間で、案内部材３０の外周壁３１に沿って上下方向に摺動するようになっている。また、図１０及び図１３に示すように、上端位置Ａと下端位置Ｂとの間の中間位置Ｃにも止まるようになっている。上端位置Ａ、下端位置Ｂ及び中間位置Ｃは、後の展開状態の説明で詳細に述べる。
【００４１】
筒状部材３２が案内部材３０の外周壁３１に沿って上下動するときに、筒状部材３２を下方に強いるバネ部材として、接続シャフト３４が案内部材３０の内部及び２つの長孔３３内を上下動するようになっている。圧縮スプリング３５が、案内部材３０の内側で、接続シャフト３４の上側に、配置されている。圧縮スプリング３５は、どこにも固定されて無くて、トップ部材１０の下面と接続シャフト３４との間で、上下方向に移動可能になっている。圧縮スプリング３５の長さは、筒状部材３２の上端部位置Ａと下端位置Ｂとの距離に比較して、約半分の長さになっている。筒状部材３２が上端位置Ａにあるときには、図１１に示すように、トップ部材１０の下面と接続シャフト３４との間隔が、圧縮スプリング３５の自由長さよりも短くなり、圧縮スプリング３５が圧縮されて、筒状部材３２を下降する方向に弾力的に強いるようになっている。また、筒状部材３２が下端位置Ｂにあるときには、図１３に示すように、トップ部材１０の下面と接続シャフト３４との間隔が、圧縮スプリング３５の長さよりも長くなり、圧縮スプリング３５が自由長さで、トップ部材１０の下面から離れて接続シャフトの上にあるだけで、スプリング力は作用しなくなっている。第１アーム部材２１と第２アーム部材２２とがドーム状に展開するので、インナーテント２を展開した状態では、強い風が吹いても、第１アーム部材２１と第２アーム部材２２の接続部分がインナーテント２の内側になるように折れ畳まれる可能性がほとんど無く、不意に筒状部材３２が上昇する可能性がない。したがって、圧縮スプリング３５で、下端位置Ｂに位置する筒状部材３２を押さえておく必要性が不要であり、フリーになるようになっている。
【００４２】
また、トップ部材１０の下面と接続シャフト３４との間隔が、圧縮スプリング３５の長さとほぼ同じになり、圧縮スプリング３５が自由長さで、トップ部材１０の下面と接続シャフト３４の上面に接触している状態を図１２に示す。この位置から、案内部材３０と連結部材４０とがなす角度αが９０°になる前の位置までが、筒状部材３２の中間位置Ｃであり、この中間位置Ｃの範囲の中で筒状部材３２が止まるようになっている。この中間位置Ｃについては、後でさらに詳細に説明する。
【００４３】
案内部材３０の下端部に、筒状部材３２が下端位置Ｂになる部分で、筒状部材３２を受け止めるストッパ部３６が設けられている。このストッパ部３６は、合成樹脂製のシャフトからなり、インナーテント２の頂部が紐７でストッパ部３６に結ばれて取り付けられている。ストッパ部３６が、ストッパ部３６と、インナーテント２の上部を紐７で結ぶシャフトを兼ねている。
【００４４】
次に、折り畳みテント１の展開手順を、図４〜図１４に基づいて、説明する。
【００４５】
まず、図４に示すように、折り畳みテント１を袋体（図示省略）から取り出して、トップ部材１０を上にして、骨組み３を立てた状態にする。骨組み３を立てた状態にして第２アーム部材２２を手放すと、第２アーム部材２２が倒れて、地面に横たわる状態になる。このときに、図５に示すように、第２アーム部材２２の第１中間脚２３の上に第１下端脚２４が重なって、横たわっている。４つの第２アーム部材２２の第１下端脚２４が横たわった状態から、図６に示すように、第２アーム部材２２の第１下端脚２４を、第１下端脚２４の他端側を展開する方向に回転して（作業者が手作業で行う）、第１中間脚２３の延長線上に第１下端脚２４が位置して、両者がほぼ同じ平面になるように拡げる。この状態では、図９及び図１２に示すように、筒状部材３２が上端位置Ａにあり、筒状部材３２の一端３２ａの一部が、トップ部材１０の碗状の内部に収まっている。
【００４６】
図６、図９及び図１２の状態から、作業者が、第１アーム部材２１及び連結部材４０の少なくとも一方を持って、持ち上げる。持ち上げる途中の状態を、図７、図１０及び図１３に示す。持ち上げると、トップ部材１０が上昇すると同時に、第１アーム部材２１及び連結部材４０及び筒状部材３２も一緒に上昇する。第１アーム部材２１及び連結部材４０を持ち上げたときに、第１アーム部材２１の他端２１ｂが外側に拡がりながら上昇することで、第１アーム部材２１の他端２１ｂと第２アーム部材２２の一端２２ａが共に外側に拡がるが、隣接する下端脚２４の他端２４ｂ同士の間隔が、インナーテント２の下端の長さにほぼ等しい長さとなっているので、トップ部材１０と第１下端脚２４の他端との間では、第１アーム部材２１、第１中間脚２３及び第１下端脚２４が連続したドーム状に拡がるようになる。これによって、図８に示すように、第１アーム部材２１に対して、第２アーム部材２２が内向きに回転して、第１アーム部材２１、第１中間脚２３及び第１下端脚２４がドーム状に拡がって、インナーテント２も一緒に拡げられる。なお、説明のために、図７の状態を述べたが、展開するときには、図６の状態から直ぐに図８の状態になる。
【００４７】
なお、作業者が第１アーム部材２１及び連結部材４０の少なくとも一方を持って、持ち上げるときに、第１アーム部材２１の他端２１ｂが外側に拡がるようになり、筒状部材３２が案内部材３０の外周壁３１に沿って、少し下降する。この下降移動を、圧縮スプリング３５が補助するようになっている。即ち、上端位置Ａでは，圧縮スプリング３５が圧縮されているので、第１アーム部材２１及び連結部材４０を作業者が持ち上げると、第１アーム部材２１の他端２１ｂが離れる方向に拡がるために、連結部材４０の他端４０ｂが案内部材３０から離れる方向になり、筒状部材３２は、上端位置Ａから下降する方向に移動するようになる。筒状部材３２が、上端位置Ａから下降する方向に移動するように圧縮スプリングが補助する。この持ち上げ操作を、圧縮スプリング３５で補助して、軽い力で操作できるようになっている。
【００４８】
具体的には、図６の状態のときに、筒状部材３２が上端位置にあって圧縮スプリング３５が圧縮されており、筒状部材３２を下降させる方向にスプリング力が作用しているので、図７に示すように持ち上げるときに、筒状部材３２が下降するとともに、第１アーム部材２１が拡がる方向に補助するようになっている。
【００４９】
次に、図８の状態において、骨組みを図１０、図１３の状態から図１１、図１４の状態に操作する。即ち、連結部材４０を手に持って、筒状部材３２を下端位置Ｂに押し下げる。このときに、筒状部材３２がストッパ部３６に当接して、下端位置Ｂになり、連結部材４０と筒状部材３２との角度が９０°を超えた角度から、９０°未満の角度になり、連結部材４０は、一端４０ａが他端４０ｂよりも低い位置になる。この下端位置Ｂでは、第１アーム部材２１が折り畳まれる方向に力が作用した場合に、連結部材４０には、内側方向及び下側方向にその力が作用することになるので、筒状部材３２が上方に摺動することが抑制できる。したがって、実施形態１では、敢えてストッパ機能を有するロック機構を特別追加して、筒状部材３２の上昇を止めることをしなくても、単純に筒状部材３２を下端位置Ｂに下降するだけでよいので、作業者の操作が楽であり、確実に下端位置Ｂに保持できる。
【００５０】
次に、折り畳む場合について説明する。折り畳みテント１の折り畳む場合には、連結部材４０を手に持って、連結部材４０の一端４０ａ側を上方に持ち上げて、筒状部材３２を上方に摺動させる。これによって、筒状部材３２が下端位置Ｂから、中間位置Ｃに移動する。このとき、筒状部材３２を下端位置Ｂから持ち上げることで、ストッパ部３６に当接した下端位置Ｂから外れて上方に摺動できるので、折り畳む操作でも、容易であり、作業性に優れる。
【００５１】
次に、第１アーム部材２１を、折り畳む方向即ち案内部材３０と平行になる方向に移動して、第１アーム部材２１の他端２１ｂを案内部材３０の下端に接近させる。このときに、圧縮スプリング３５が圧縮されて、筒状部材３２が上方に摺動して、上端位置Ａの近くまで上昇して、図５の状態になる。なお、第１アーム部材２１を筒状部材３２にできるだけ接近する位置まで近づけたときに、筒状部材３２は上端位置Ａになるが、図５の状態では、安定して立てるために、第１アーム部材２１の他端２１ｂを少し拡げた位置にしている。したがって、図５の状態では、筒状部材３２が上端位置Ａに近接した位置とした。なお、作業者が複数いて、倒れないように持っていることができるのであれば、図５の状態で、上端位置Ａにまで、折り畳んでおいてもよい。
【００５２】
それからは、第１下端脚２４を第１中間脚２３から離れる方向に引いて、第１下端脚２４を上下方向外向きに回転できる状態にする。そして、図４の状態に戻して、図面上で左にある第１下端脚２４を時計回り方向に回して、右にある第１下端脚２４を反時計回り方向に回して第１中間脚２３の上に重ねる。そして、第１中間脚２３と第１下端脚２４とを一緒に持ち上げて、第１中間脚２３と第１下端脚２４との接続部分を案内部材３０の上側部分に接近させる。即ち、第１中間脚２３、第１下端脚２４と、案内部材３０がほぼ平行になるようにする。その後は、インナーテント２内の空気を抜きながらインナーテント２を、骨組み３を囲むように圧縮して折り畳む。
【００５３】
実施形態１では、中間位置Ｃから下端位置Ｂに作業者が操作することで、案内部材３０と連結部材４０とが成す角度が９０°未満になるので、不用意に筒状部材３２が下端位置から上方に摺動することを防止できる。それと共に、折り畳みテント１を展開した状態でインナーテント２を折り畳む方向に力が作用した場合、連結部材４０と案内部材３０の接続部分には、インナーテント２の中央側方向及び下側に力が作用するので、下端位置Ｂに筒状部材３２が固定されることとなり、筒状部材３２を下端位置Ｂに止めた状態で安定して維持することができ、第１アーム部材２１及び第２アーム部材２２を展開した状態に維持できる。
【００５４】
（実施形態２）
図１５〜図１７に基づいて、実施形態２を説明する。実施形態２では、実施形態１と異なる部分のみ説明し、共通部分の説明を省略する。
【００５５】
実施形態２が、実施形態１と異なるのは、骨組み３Ｘの構造であって、その構造に合わせてインナーテント２Ｘも異なる構造となっている。具体的には、第１アーム部材２１Ｘに対して、第２アーム部材２２Ｘを折れ曲がった角度関係で立てる構成であって、且つ第２アーム部材２２Ｘの第２下端脚２４Ｘが第２中間脚２３Ｘとよりも一回り大きい円筒形状であり、第２中間脚２３Ｘが第２下端脚２４Ｘの中に収納される構成となっている。第２下端脚２４Ｘの中に第２中間脚２３Ｘが入り込む構造は、一般的であり、この詳細は省略するが、図１６に示すように、ロック部２９をＯＮ−ＯＦＦすることで、ロック状態とアンロック状態とに切り替えるようになっている。ロック状態では、第２下端脚２４Ｘに対して第２中間脚２３Ｘを抜き差しできないようにロックし、アンロック状態では、抜き差しできるようになっている。
【００５６】
また、案内部材３０内の圧縮スプリング３５Ｘが、筒状部材３２が下端位置Ｂにあるときにも、圧縮状態になる長さとなっている。これによって、筒状部材３２が下端位置Ｂにあるときに、筒状部材３２が不意に上昇して下端位置Ｂから外れることを防止している。この  実施形態２では、第１アーム部材２１Xに対して第２アーム部材２２Ｘが所定角度で折れ曲がった角度で接続される構成である。そのために、実施形態１に比較して、強い風が吹くと、第１アーム部材２１Ｘと第２アーム部材２２Ｘの接続部分がインナーテント２Ｘの内側になるように折れ曲がる可能性がある。その折れ曲がる動きになると、不意に筒状部材３２が上昇する可能性があるので、筒状部材３２が下端位置Ｂにあるときにも、圧縮スプリング３５Ｘで押さえるようにして、筒状部材３２の上昇を防ぐようになっている。
【００５７】
（その他の実施形態）
各アーム部材２０や連結部材４０は金属製のパイプに限られるものでは無く、合成樹脂製のパイプでもよく、パイプで無くてもよい。
【００５８】
各アーム部材２０の数は、実施形態の４本に限られるものではない。
【００５９】
本考案による折り畳みテントは、キャンプ用テントだけでなくビーチシェルタ、フィッシングテント、ならびに戸外で用いられる他のテントおよびシェルタにも適する。
【産業上の利用可能性】
【００６０】
本考案は、折り畳みとテントを容易に折り畳み及び展開し得るようにした折り畳みテント、特に、非常に短時間で設置され得る折り畳みテントに適する。
【符号の説明】
【００６１】
１          折り畳み式テント
２          インナーテント
３          骨組み
１０        トップ部材
２０        アーム部材
２１        第１アーム部材
２２        第２アーム部材
２３        中間脚
２４        下端脚
３０        案内部材
３１        外周壁
３２        筒状部材
Ａ          上端位置
Ｂ          下端位置
Ｃ          中間位置
３３        長孔
３４        接続シャフト
３５        圧縮スプリング
３６        ストッパ部
４０        連結部材
【図１】
0003205300.tif 000003
【図２】
0003205300.tif 000004
【図３】
0003205300.tif 000005
【図４】
0003205300.tif 000006
【図５】
0003205300.tif 000007
【図６】
0003205300.tif 000008
【図７】
0003205300.tif 000009
【図８】
0003205300.tif 000010
【図９】
0003205300.tif 000011
【図１０】
0003205300.tif 000012
【図１１】
0003205300.tif 000013
【図１２】
0003205300.tif 000014
【図１３】
0003205300.tif 000015
【図１４】
0003205300.tif 000016
【図１５】
0003205300.tif 000017
【図１６】
0003205300.tif 000018
【図１７】
0003205300.tif 000019
【図１８】
0003205300.tif 000020